(57)【要約】【課題】冷却効果の散逸を防ぎ、ピンポイントで高い冷却効果が得られ且つ動作時間を長くできるような霧化送風装置を提供する。【解決手段】霧化送風装置は、水を貯蔵する第１液体貯蔵部１１と、第１液体貯蔵部１１に設けられ、メッシュ式超音波振動子により、第１液体貯蔵部１１に貯蔵されている水を霧化した霧状体を、第１液体貯蔵部１１の外部に対して第１の方向において直線状の放出軌道で放出する霧化部１２と、放出軌道と交差するように第２の方向において直線状に風を送出するシロッコファン２３と、水を貯蔵する第２液体貯蔵部４１と、第１液体貯蔵部１１の内部と、第２液体貯蔵部４１の内部とを接続する配管３１と、第２液体貯蔵部４１に貯蔵されている水を第１液体貯蔵部１１へ供給するポンプユニット４２を備える。【選択図】  図１
2019072679.tif 000002
【特許請求の範囲】
【請求項１】
気化性を有する液体を貯蔵する第１液体貯蔵部と、
前記第１液体貯蔵部に設けられ、メッシュ式超音波振動子により、前記第１液体貯蔵部に貯蔵されている液体を霧化した霧状体を、前記第１液体貯蔵部の外部に対して第１の方向において直線状の放出軌道で放出する霧化部と、
前記放出軌道と交差するように第２の方向において直線状に風を送出する送風部と、
気化性を有する液体を貯蔵する第２液体貯蔵部と、
前記第１液体貯蔵部の内部と、前記第２液体貯蔵部の内部とを接続し、前記第２液体貯蔵部に貯蔵されている液体を前記第１液体貯蔵部へ供給する接続供給手段とを備える、霧化送風装置。
【請求項２】
前記第１液体貯蔵部の内部と、前記第２液体貯蔵部の内部とを接続する接続手段を備える、請求項１記載の霧化送風装置。
【請求項３】
前記接続供給手段が前記第１液体貯蔵部に前記液体を供給する量が、前記霧化部が前記霧状体として前記液体を放出する量よりも多くなるように制御する制御手段を備える、請求項２記載の霧化送風装置。
【請求項４】
複数の霧化送風ユニットと、タンクユニットとを備える霧化送風装置であって、
前記複数の霧化送風ユニットの各々は、
気化性を有する液体を貯蔵する第１液体貯蔵部と、
前記第１液体貯蔵部に設けられ、メッシュ式超音波振動子により、前記第１液体貯蔵部に貯蔵されている液体を霧化した霧状体を、前記第１液体貯蔵部の外部に対して第１の方向において直線状の放出軌道で放出する霧化部と、
前記放出軌道と交差するように第２の方向において直線状に風を送出する送風部とを備え、
前記タンクユニットは、
気化性を有する液体を貯蔵する第２液体貯蔵部と、
前記複数の霧化送風ユニットの各々の前記第１液体貯蔵部の内部と、前記第２液体貯蔵部の内部とを接続する第１の配管群と、
前記第２液体貯蔵部に貯蔵されている液体を、前記第１の配管群を介して前記複数の霧化送風ユニットの各々の前記第１液体貯蔵部へ供給するポンプユニットとを備える、霧化送風装置。
【請求項５】
更に、前記複数の霧化送風ユニットの各々の前記第１液体貯蔵部の内部と、前記第２液体貯蔵部の内部とを接続する第２の配管群を備える、請求項４記載の霧化送風装置。
【請求項６】
前記ポンプユニットが前記複数の霧化送風ユニットの各々の前記第１液体貯蔵部に前記液体を供給する量が、前記複数の霧化送風ユニットの各々の前記霧化部が前記霧状体として前記液体を放出する量よりも多くなるように制御する制御手段を備える、請求項５記載の霧化送風装置。
【請求項７】
複数の霧化送風ユニットと、タンクユニットと、前記複数の霧化送風ユニットの間を接続する接続ユニットと、を備える霧化送風装置であって、
前記複数の霧化送風ユニットの各々は、
気化性を有する液体を貯蔵する第１液体貯蔵部と、
前記第１液体貯蔵部に設けられ、メッシュ式超音波振動子により、前記第１液体貯蔵部に貯蔵されている液体を霧化した霧状体を、前記第１液体貯蔵部の外部に対して第１の方向において直線状の放出軌道で放出する霧化部と、
前記放出軌道と交差するように第２の方向において直線状に風を送出する送風部とを備え、
前記タンクユニットは、
気化性を有する液体を貯蔵する第２液体貯蔵部と、
前記複数の霧化送風ユニットのうちの一の霧化送風ユニットの前記第１液体貯蔵部の内部と、前記第２液体貯蔵部の内部とを接続する第１の配管と、
前記複数の霧化送風ユニットのうちの他の霧化送風ユニットの前記第１液体貯蔵部の内部と、前記第２液体貯蔵部の内部とを接続する第２の配管と、
前記第２液体貯蔵部に貯蔵されている液体を、前記第１の配管を介して前記一の霧化送風ユニットの前記第１液体貯蔵部へ供給するポンプユニットとを備え、
前記接続ユニットは、
前記複数の霧化送風ユニットの各々の前記第１液体貯蔵部の内部の間を、直列的に接続する接続配管を備える、霧化送風装置。
【請求項８】
前記ポンプユニットが前記一の霧化送風ユニットの前記第１液体貯蔵部に前記液体を供給する量が、少なくとも前記一の霧化送風ユニットの前記霧化部が前記霧状体として前記液体を放出する量よりも多くなるように制御する制御手段を備える、請求項７記載の霧化送風装置。
【請求項９】
気化性を有する液体を貯蔵する第１液体貯蔵部と、
前記第１液体貯蔵部に設けられ、メッシュ式超音波振動子により、前記第１液体貯蔵部に貯蔵されている液体を霧化した霧状体を、前記第１液体貯蔵部の外部に対して放出する霧化部と、
前記霧化部が霧状体を放出する放出軌道と交差するように直線状に風を送出する送風部と、
気化性を有する液体を貯蔵する第２液体貯蔵部と、
前記第１液体貯蔵部の内部と、前記第２液体貯蔵部の内部とを接続し、前記第２液体貯蔵部に貯蔵されている液体を前記第１の配管を介して前記第１液体貯蔵部へ供給する接続供給手段とを備える、霧化送風装置。
【発明の詳細な説明】
【技術分野】
【０００１】
この発明は霧化送風装置に関し、特に、液体を霧化した霧状体を放出する霧化部と霧状体に対して風を送出する送風部とを備える霧化送風装置に関するものである。
【背景技術】
【０００２】
従来、扇風機に水を霧状に噴出する装置を加えることによって室内の温度低下させる技術が提案されている。
【０００３】
例えば、特許文献１では、扇風機本体の下部に水と氷を貯槽してポンプでくみ上げ、扇風機ファン前部中央から霧状の水を噴出する装置が提案されている。又、特許文献２でも概ね同様の構成の装置が提案されている。
【先行技術文献】
【特許文献】
【０００４】
【特許文献１】実用新案登録第３１３８２１０号公報
【特許文献２】特開２００３−３２９２７３号公報
【発明の概要】
【発明が解決しようとする課題】
【０００５】
しかしながら、特許文献１及び２において、扇風機で採用されているのは軸流ファンである。軸流ファンによる風は広範囲に拡散する特性があり、特許文献１の技術では、霧状の水は、放出後に蒸発してもすぐに軸流ファンの風の流れにより拡散されてしまい、冷却効果が散逸してしまう傾向があった。又、このような霧状の水によって冷却効果を得るような構成の扇風機において動作時間を長くすることも望まれていた。
【０００６】
この発明は、上記のような課題を解決するためになされたもので、冷却効果の散逸を防ぎ、ピンポイントで高い冷却効果が得られ且つ動作時間を長くできるような霧化送風装置を提供することを目的とする。
【課題を解決するための手段】
【０００７】
上記の目的を達成するために、請求項１記載の発明は、気化性を有する液体を貯蔵する第１液体貯蔵部と、第１液体貯蔵部に設けられ、メッシュ式超音波振動子により、第１液体貯蔵部に貯蔵されている液体を霧化した霧状体を、第１液体貯蔵部の外部に対して第１の方向において直線状の放出軌道で放出する霧化部と、放出軌道と交差するように第２の方向において直線状に風を送出する送風部と、気化性を有する液体を貯蔵する第２液体貯蔵部と、第１液体貯蔵部の内部と、第２液体貯蔵部の内部とを接続し、第２液体貯蔵部に貯蔵されている液体を第１液体貯蔵部へ供給する接続供給手段とを備えるものである。
【０００８】
このように構成すると、放出軌道により第１の方向において直線状に放出される霧状体が霧散する前に、第２の方向に直線状に送出される風を交差させることにより、密度の高い状態の霧状体を第２の方向に集中させることが可能となり且つ第１液体貯蔵部に加えて第２液体貯蔵部に液体を貯蔵することができる。
【０００９】
請求項２記載の発明は、請求項１記載の発明の構成において、第１液体貯蔵部の内部と、第２液体貯蔵部の内部とを接続する接続手段を備えるものである。
【００１０】
このように構成すると、第１液体貯蔵部の液体を、接続手段を介して第２液体貯蔵部に移動させることができる。
【００１１】
請求項３記載の発明は、請求項２記載の発明の構成において、接続供給手段が第１液体貯蔵部に液体を供給する量が、霧化部が霧状体として液体を放出する量よりも多くなるように制御する制御手段を備えるものである。
【００１２】
このように構成すると、第１液体貯蔵部から接続手段を介して第２液体貯蔵部に対し液体が流出する。
【００１３】
請求項４記載の発明は、複数の霧化送風ユニットと、タンクユニットとを備える霧化送風装置であって、複数の霧化送風ユニットの各々は、気化性を有する液体を貯蔵する第１液体貯蔵部と、第１液体貯蔵部に設けられ、メッシュ式超音波振動子により、第１液体貯蔵部に貯蔵されている液体を霧化した霧状体を、第１液体貯蔵部の外部に対して第１の方向において直線状の放出軌道で放出する霧化部と、放出軌道と交差するように第２の方向において直線状に風を送出する送風部とを備え、タンクユニットは、気化性を有する液体を貯蔵する第２液体貯蔵部と、複数の霧化送風ユニットの各々の第１液体貯蔵部の内部と、第２液体貯蔵部の内部とを接続する第１の配管群と、第２液体貯蔵部に貯蔵されている液体を、第１の配管群を介して複数の霧化送風ユニットの各々の第１液体貯蔵部へ供給するポンプユニットとを備えるものである。
【００１４】
このように構成すると、冷却された風を多方向から供給することができる。
【００１５】
請求項５記載の発明は、請求項４記載の発明の構成において、更に、複数の霧化送風ユニットの各々の第１液体貯蔵部の内部と、第２液体貯蔵部の内部とを接続する第２の配管群を備えるものである。
【００１６】
このように構成すると、第１液体貯蔵部の液体を第２の配管を介して第２液体貯蔵部に移動させることができる。
【００１７】
請求項６記載の発明は、請求項５記載の発明の構成において、ポンプユニットが複数の霧化送風ユニットの各々の第１液体貯蔵部に液体を供給する量が、複数の霧化送風ユニットの各々の霧化部が霧状体として液体を放出する量よりも多くなるように制御する制御手段を備えるものである。
【００１８】
このように構成すると、第１液体貯蔵部から第２液体貯蔵部に対し液体が流出する。
【００１９】
請求項７記載の発明は、複数の霧化送風ユニットと、タンクユニットと、複数の霧化送風ユニットの間を接続する接続ユニットと、を備える霧化送風装置であって、複数の霧化送風ユニットの各々は、気化性を有する液体を貯蔵する第１液体貯蔵部と、第１液体貯蔵部に設けられ、メッシュ式超音波振動子により、第１液体貯蔵部に貯蔵されている液体を霧化した霧状体を、第１液体貯蔵部の外部に対して第１の方向において直線状の放出軌道で放出する霧化部と、放出軌道と交差するように第２の方向において直線状に風を送出する送風部とを備え、タンクユニットは、気化性を有する液体を貯蔵する第２液体貯蔵部と、複数の霧化送風ユニットのうちの一の霧化送風ユニットの第１液体貯蔵部の内部と、第２液体貯蔵部の内部とを接続する第１の配管と、複数の霧化送風ユニットのうちの他の霧化送風ユニットの第１液体貯蔵部の内部と、第２液体貯蔵部の内部とを接続する第２の配管と、第２液体貯蔵部に貯蔵されている液体を、第１の配管を介して一の霧化送風ユニットの第１液体貯蔵部へ供給するポンプユニットとを備え、接続ユニットは、複数の霧化送風ユニットの各々の第１液体貯蔵部の内部の間を、直列的に接続する接続配管を備えるものである。
【００２０】
このように構成すると、冷却された風を多方向から供給することができる。
【００２１】
請求項８記載の発明は、請求項７記載の発明の構成において、ポンプユニットが一の霧化送風ユニットの第１液体貯蔵部に液体を供給する量が、少なくとも一の霧化送風ユニットの霧化部が霧状体として液体を放出する量よりも多くなるように制御する制御手段を備えるものである。
【００２２】
このように構成すると、一の霧化送風ユニットの第１液体貯蔵部から、一の霧化送風ユニットと直列的に接続されている別の霧化送風ユニットの第１液体貯蔵部に液体を移動させることができる。
【００２３】
請求項９記載の発明は、気化性を有する液体を貯蔵する第１液体貯蔵部と、第１液体貯蔵部に設けられ、メッシュ式超音波振動子により、第１液体貯蔵部に貯蔵されている液体を霧化した霧状体を、第１液体貯蔵部の外部に対して放出する霧化部と、霧化部が霧状体を放出する放出軌道と交差するように直線状に風を送出する送風部と、気化性を有する液体を貯蔵する第２液体貯蔵部と、第１液体貯蔵部の内部と、第２液体貯蔵部の内部とを接続し、第２液体貯蔵部に貯蔵されている液体を第１の配管を介して第１液体貯蔵部へ供給する接続供給手段とを備えるものである。
【００２４】
このように構成すると、直線状に送出された風が、放出軌道により放出された霧状体と合流し且つ第１液体貯蔵部に加えて第２液体貯蔵部に液体を貯蔵することができる。
【発明の効果】
【００２５】
以上説明したように、請求項１記載の発明は、放出軌道により第１の方向において直線状に放出される霧状体が霧散する前に、第２の方向に直線状に送出される風を交差させることにより、密度の高い状態の霧状体を第２の方向に集中させることが可能となり且つ第１液体貯蔵部に加えて第２液体貯蔵部に液体を貯蔵することができるので、気化による冷却効果がピンポイントで得られ且つ装置の動作時間を長くすることができる。
【００２６】
請求項２記載の発明は、請求項１記載の発明の効果に加えて、第１液体貯蔵部の液体を、接続手段を介して第２液体貯蔵部に移動させることができるので、第１液体貯蔵部の余剰となった液体を、接続手段を介して第２液体貯蔵部に循環させることができる。
【００２７】
請求項３記載の発明は、請求項２記載の発明の効果に加えて、第１液体貯蔵部から接続手段を介して第２液体貯蔵部に対し液体が流出するので、第１液体貯蔵部の液体を、接続手段を介して第２液体貯蔵部に効率よく循環させることができる。
【００２８】
請求項４記載の発明は、冷却された風を多方向から供給することができるので、効果的な冷却が行える。
【００２９】
請求項５記載の発明は、請求項４記載の発明の効果に加えて、第１液体貯蔵部の液体を第２の配管を介して第２液体貯蔵部に移動させることができるので、第１液体貯蔵部の余剰となった液体を第２の配管を介して第２液体貯蔵部に循環させることができる。
【００３０】
請求項６記載の発明は、請求項５記載の発明の効果に加えて、第１液体貯蔵部から第２液体貯蔵部に対し液体が流出するので、第１液体貯蔵部の液体を第２の配管を介して第２液体貯蔵部に効率よく循環させることができる。
【００３１】
請求項７記載の発明は、冷却された風を多方向から供給することができるので、効果的な冷却が行える。
【００３２】
請求項８記載の発明は、請求項７記載の発明の効果に加えて、一の霧化送風ユニットの第１液体貯蔵部から、一の霧化送風ユニットと直列的に接続されている別の霧化送風ユニットの第１液体貯蔵部に液体を移動させることができるので、一の霧化送風ユニットから別の霧化送風ユニットへ効率的に液体を移動させることができる。
【００３３】
請求項９記載の発明は、直線状に送出された風が、放出軌道により放出された霧状体と合流し且つ第１液体貯蔵部に加えて第２液体貯蔵部に液体を貯蔵することができるので、気化による冷却効果が得られ且つ装置の動作時間を長くすることができる。
【図面の簡単な説明】
【００３４】
【図１】この発明の第１の実施の形態による霧化送風装置の外観形状を示した斜視図である。
【図２】図１に示す霧化送風装置の霧化送風ユニットの正面図である。
【図３】図２におけるＩＩＩ−ＩＩＩラインの端面図である。
【図４】図１等に示した霧化送風装置の制御基板の機能的構成について示したブロック図である。
【図５】図１等に示した霧化送風装置の霧状体の放出軌道と、風の送風方向との関係を示す図である。
【図６】この発明の第２の実施の形態による霧化送風装置の概略構成図であり、（Ａ）は、霧化送風装置を正面視したときの図であり、（Ｂ）は、（Ａ）において矢印Ｄ１方向視したときの平面図である。
【図７】この発明の第３の実施の形態による霧化送風装置の概略構成図であり、（Ａ）は、霧化送風装置を側面視したときの図であり、（Ｂ）は、（Ａ）において矢印Ｄ２方向視したときの正面図である。
【図８】この発明の第４の実施の形態による霧化送風装置の外観形状を示した斜視図であり図１に対応するものである。
【図９】この発明の第５の実施の形態による霧化送風装置の外観形状を示した斜視図であり図１に対応するものである。
【図１０】この発明の第６の実施の形態による霧化送風装置の外観形状を示した斜視図であり図９に対応するものである。
【図１１】この発明の第７の実施の形態による霧化送風装置の外観形状を示した斜視図であり図１０に対応するものである。
【図１２】この発明の第８の実施の形態による霧化送風装置の霧状体の放出軌道と、風の送風方向との関係を示す図であって、図５に対応するものである。
【発明を実施するための形態】
【００３５】
図１は、この発明の第１の実施の形態による霧化送風装置の外観形状を示した斜視図であり、図２は、図１に示す霧化送風装置の霧化送風ユニットの正面図であり、図３は、図２におけるＩＩＩ−ＩＩＩラインの端面図である。
【００３６】
これらの図を参照して、霧化送風装置１は、霧化した水等の液体の気化熱による冷却効果を活用したものであり、霧化送風ユニット１０とタンクユニット４０とから構成される。
【００３７】
霧化送風ユニット１０は、水を貯蔵する第１液体貯蔵部１１と、第１液体貯蔵部１１に設けられ、メッシュ式超音波振動子により、第１液体貯蔵部１１に貯蔵されている水を霧化した霧状体を、第１液体貯蔵部１１の外部に対して第１の方向において直線状の放出軌道で放出する霧化部１２と、この放出軌道と交差するように第２の方向において直線状に風を創出する送風部２０とを備える。尚、これらの霧化送風ユニット１０の各部の詳細については後述する。
【００３８】
タンクユニット４０は、水を貯蔵する第２液体貯蔵部４１と、第１液体貯蔵部１１の内部と第２液体貯蔵部４１の内部とを水密状態に接続する配管３１と、第２液体貯蔵部４１に貯蔵されている液体を第１液体貯蔵部へ供給するポンプユニット４２とを備える。尚、配管３１とポンプユニット４２とは霧化送風装置１における接続供給手段を構成する。
【００３９】
続いて、霧化送風ユニット１０の各部の詳細について説明すると以下の通りである。
【００４０】
第１液体貯蔵部１１は、その上部において配管３１と水密状態に接続される。これにより、第１液体貯蔵部１１、第２液体貯蔵部４１及び配管３１の間は密閉状態となっている。尚、霧化部１２では、動作時には放出口から霧状体が放出される構成であるので、ここで「密閉状態」と表現しているのは、第１液体貯蔵部１１において、霧化部１２以外の部分の気密が保たれているという意味である。
【００４１】
霧化部１２は、第１液体貯蔵部１１の側壁部に設けられている。霧化部１２で採用しているメッシュ式超音波振動子は、動作時において、小さな穴が開いた薄い円盤状のメッシュ部材の裏（第１液体貯蔵部側）から圧電振動子により振動を与えることで、メッシュ部材の穴から液体を霧状に噴出させる方式のものである。メッシュ部材の穴径は、１０μｍ以下に設定している。これにより霧状体が大粒化することを抑えられ、気化しやすくなる。又、これと共に、霧化部の非動作時において第１液体貯蔵部の内部の気密状態が保たれる。これにより、メッシュ式超音波振動子の穴からの水漏れを抑制できる。
【００４２】
送風部２０は、吸気口２１と、送風口２２と、吸気口２１から吸気し、送風口２２から、シロッコファン２３と、霧化部１２、シロッコファン２３及びポンプユニット４２を制御するための制御基板２４とを備える。
【００４３】
送風口２２は、霧化部１２よりの下方に設けられている。従って、シロッコファン２３は、霧化部１２よりも下方に設けられる構成となっている。又、第２の方向は、上方に向かう向きに設定されている。尚、このように構成する効果については後述する。
【００４４】
シロッコファン２３は、軸流ファン等と比べると、静圧が高く直進性が高い風を送出できる。
【００４５】
制御基板２４は、霧化部１２とシロッコファン２３とポンプユニット４２と配線で接続されている（霧化部１２及びポンプユニット４２との接続については作図の都合上、図示を省略している）。
【００４６】
又、送風部２０の送風口２２と、霧化部１２の霧状体の放出元とは、約３ｃｍ離間させている。
【００４７】
続いて、この霧化送風装置における制御について説明する。
【００４８】
図４は、図１等に示した霧化送風装置の制御基板の機能的構成について示したブロック図である。
【００４９】
同図を参照して、制御基板２４は、霧化部１２、シロッコファン２３及びポンプユニット４２に対して、各種の信号を供給することでこれらを制御する制御部（制御手段）５０を備えている。
【００５０】
制御部５０は、霧化部１２に対して制御信号を供給する霧化部制御部５１と、シロッコファン２３に対して制御信号を供給する送風部制御部５２及びポンプユニット４２に対して制御信号を供給する供給制御部５３とを備える構成である。
【００５１】
霧化部制御部５１、送風部制御部５２及び供給制御部（制御手段）５３は、それぞれ、電源スイッチ２５のオン／オフに応じて霧化部１２、シロッコファン２３及びポンプユニット４２に対する制御を行う。
【００５２】
ここで供給制御部５３は、ポンプユニット４２から供給される水が第１液体貯蔵部１１の容量を超えないように、ポンプユニット４２が第１液体貯蔵部１１に水を供給する量が、霧化部１２が霧状体として水を放出する量よりも多くならないように制御する。
【００５３】
次に、霧化送風装置の動作について説明する。
【００５４】
図５は、図１等に示した霧化送風装置の霧状体の放出軌道と、風の送風方向との関係を示す図である。
【００５５】
同図を参照して、送風部２０から送出された風が、放出軌道Ｒにおいて霧状体と交差する位置Ｐ１と、放出軌道Ｒにおける霧状体の放出元の位置との間の直線距離は、５ｍｍ〜３０ｃｍに設定されている。
【００５６】
霧化部１２が霧状体を、水平方向の第１の方向Ａ１において直線状の放出軌道Ｒで放出する一方で、霧化部１２の下方において送風部２０は、上方に向かう方向である第２の方向Ｂ１に直線状に風を送出する。
【００５７】
すると、送風部２０から送出される風は、やがて位置Ｐ１において放出軌道Ｒと交差する。これにより、第１の方向Ａ１において放出軌道で直線状に放出される霧状体は、霧散する前に、第２の方向Ｂ１に直線状に送出される風と交差する。
【００５８】
霧状体と風が交差する位置Ｐ１において、霧状体は、風が送出される第２の方向Ｂ１へと向かう。このようにして、水平方向Ａ１において位置Ｐ１よりも先の位置では、霧状体は、気化しながら風の進行方向と同じ方向Ａ２に進行する。
【００５９】
従って、水平方向Ａ１において位置Ｐ１よりも先の位置では、霧状体の気化により冷却された風が進行する。
【００６０】
よって、密度の高い状態の霧状体を第２の方向に集中させることが可能となるので、気化による冷却効果がピンポイントで得られる。
【００６１】
特に、上述の直線距離が、５ｍｍ〜３０ｃｍに設定されていることで、霧状体が、空気中に霧散する前に風と霧状体とが合流する上では好ましく、より確実に冷却効果を高めることができる。
【００６２】
又、送風部２０は、霧化部１２よりも下方に設けられているため、霧状体の下方から風が当たる位置関係となる。このため、装置を床置きしたような場合にでも冷却効果が拡散しやすい。又、第２の方向Ｂ１は、上方に向かう向きに設定されているため、霧化部１２よりも上方に冷却された空気を送出することができるので、上方への冷却効果が期待できる。
【００６３】
又、このような霧化送風装置１によれば、第１液体貯蔵部に加えて第２液体貯蔵部に水を貯蔵することができるので装置の動作時間を長くすることができる。又、第２液体貯蔵部から水を供給できるので、第１液体貯蔵部の容量を抑えることができ、これにより、霧化送風ユニットの軽量化・コンパクト化を図ることができる。
【００６４】
図６は、この発明の第２の実施の形態による霧化送風装置の概略構成図であり、（Ａ）は、霧化送風装置を正面視したときの図であり、（Ｂ）は、（Ａ）において矢印Ｄ１方向視したときの平面図である。
【００６５】
尚、説明に当たっては、基本的には第１の実施の形態によるものと同一であるため、その相違点を中心に説明する。
【００６６】
同図を参照して、上記の第１の実施の形態では、送風部２０が、霧化部より下方に設けられる位置関係であったが、第２の実施の形態では、この位置関係を変更している。又、この実施の形態による霧化送風装置１にあっては、第１の実施の形態によるものから、霧化部１２による霧状体の放出方向も変更している。
【００６７】
具体的には、送風部２０の設置レベルを、第１の実施の形態のものから、上方にずらして霧化部１２と同じレベルに設定すると共に、その位置を、霧化部１２の放出位置に直角に風が当たるような位置に変更している。
【００６８】
このように構成すると、霧化部１２から放出された霧状体に対し、直ちに送風部２０から送出される風が当たり、気化が進行する。
【００６９】
図７は、この発明の第３の実施の形態による霧化送風装置の概略構成図であり、（Ａ）は、霧化送風装置を側面視したときの図であり、（Ｂ）は、（Ａ）において矢印Ｄ２方向視したときの正面図である。
【００７０】
尚、説明に当たっては、基本的には第１の実施の形態によるものと同一であるため、その相違点を中心に説明する。
【００７１】
同図を参照して、この実施の形態による霧化送風装置１にあっては、第１の実施の形態によるものから、霧化部１２による霧状体の放出方向を変更している。
【００７２】
具体的には、霧化部１２を底面部に設け、これによって、霧状体の放出方向が鉛直下方になるよう変更している。又、送風部２０の位置を、第１の実施の形態のものから、水平方向にずらして、霧化部１２の放出位置に風が当たるように変更している。これにより、霧化部１２から放出される霧状体に対し、直角に風が当たるように構成している。
【００７３】
このように構成すると、第２の実施の形態の場合と同様、霧化部１２から放出された霧状体に対し、直ちに送風部２０から送出される風が当たり、気化が進行する。
【００７４】
図８は、この発明の第４の実施の形態による霧化送風装置の外観形状を示した斜視図であり図１に対応するものである。
【００７５】
尚、説明に当たっては、基本的には第１の実施の形態によるものと同一であるため、その相違点を中心に説明する。
【００７６】
同図を参照して、この実施の形態による霧化送風装置１にあっては、第１の実施の形態のものにおいて、更に、第１液体貯蔵部１１の内部と、第２液体貯蔵部４１の内部とを水密状態に接続する接続手段としての配管３２を備える構成である。尚、配管３１と第１液体貯蔵部１１との間には第２液体貯蔵部４１から供給される水を濾過するためのフィルター１４が挿入されている。フィルター１４には水の濾過効果だけでなく銀などが配合されることで除菌効果が付与されていてもよい。
【００７７】
そして、供給制御部（図４等参照）は、ポンプユニット４２が第１液体貯蔵部１１に水を供給する量が、霧化部１２が霧状体として水を放出する量よりも多くなるように制御する。
【００７８】
このように構成すると、第１液体貯蔵部１１に供給される水の量が、霧化部１２から放出される量よりも多くなるので、第１液体貯蔵部１１に供給される水の一部は、第１液体貯蔵部１１から配管３２を介して第２液体貯蔵部４１に対し流出する。このように第１液体貯蔵部１１において余剰となった水を、配管を介して第２液体貯蔵部４１に循環させることができる。
【００７９】
又、フィルター１４が、第１液体貯蔵部１１と配管３１との接続部分には設けられているので、霧化部１２によって第１液体貯蔵部１１から外部に対して濾過された清浄な水を放出できる。一方で、第１液体貯蔵部１１と配管３２との接続部分にはフィルターは設けられていないので、第１液体貯蔵部１から第２液体貯蔵部４１に水が流出する際にはフィルターによる抵抗が生じることを防ぐことができる。
【００８０】
このようにして、第１液体貯蔵部の液体を、配管３２を介して第２液体貯蔵部に効率よく循環させることができる。
【００８１】
図９は、この発明の第５の実施の形態による霧化送風装置の外観形状を示した斜視図であり図１に対応するものである。
【００８２】
尚、説明に当たっては、基本的には第１の実施の形態によるものと同一であるため、その相違点を中心に説明する。
【００８３】
同図を参照して、この実施の形態による霧化送風装置１にあっては、一つのタンクユニット４０に対して複数の霧化送風ユニット１０ａ、１０ｂ、…、１０ｎが接続される構成である。複数の霧化送風ユニット１０ａ、１０ｂ、…、１０ｎはそれぞれ第１の実施の形態によるものと同様の構成であるので、ここではその説明を繰り返さない。
【００８４】
霧化送風装置１は、複数の霧化送風ユニット１０ａ、１０ｂ、…、１０ｎの各々の第１液体貯蔵部１１ａ、１１ｂ、…、１１ｎの内部と、第２液体貯蔵部４１の内部とを接続する第１の配管群３１ａ、３１ｂ、…、３１ｎと、第２液体貯蔵部４１に貯蔵されている水を、第１の配管群３１ａ、３１ｂ、…、３１ｎを介して複数の霧化送風ユニット１０ａ、１０ｂ、…、１０ｎの各々の第１液体貯蔵部１１ａ、１１ｂ、…、１１ｎへ供給するポンプユニット４２ａ、４２ｂ、…、４２ｎとを備えている。
【００８５】
このように構成すると、複数の霧化送風ユニット１０ａ、１０ｂ、…、１０ｎの各々の霧化部１２ａ、１２ｂ、…、１２ｎから冷却された風が放出される。よって、冷却された風を多方向から供給することができるので、効果的な冷却が行える。
【００８６】
図１０は、この発明の第６の実施の形態による霧化送風装置の外観形状を示した斜視図であり図９に対応するものである。
【００８７】
尚、説明に当たっては、基本的には第４の実施の形態によるものと同一であるため、その相違点を中心に説明する。
【００８８】
同図を参照して、この実施の形態による霧化送風装置１にあっては、一つのタンクユニット４０に対して複数の霧化送風ユニット１０ａ、１０ｂ、…、１０ｎが接続される構成である。複数の霧化送風ユニット１０ａ、１０ｂ、…、１０ｎはそれぞれ第１の実施の形態によるものと同様の構成であるので、ここではその説明を繰り返さない。
【００８９】
霧化送風装置１は、複数の霧化送風ユニット１０ａ、１０ｂ、…、１０ｎの各々の第１液体貯蔵部１１ａ、１１ｂ、…、１１ｎの内部と、第２液体貯蔵部４１の内部とを接続する第１の配管群３１ａ、３１ｂ、…、３１ｎと、第２液体貯蔵部４１に貯蔵されている水を、第１の配管群３１ａ、３１ｂ、…、３１ｎを介して複数の霧化送風ユニット１０ａ、１０ｂ、…、１０ｎの各々の第１液体貯蔵部１１ａ、１１ｂ、…、１１ｎへ供給するポンプユニット４２ａ、４２ｂ、…、４２ｎと、複数の霧化送風ユニット１０ａ、１０ｂ、…、１０ｎの各々の第１液体貯蔵部１１ａ、１１ｂ、…、１１ｎの内部と、第２液体貯蔵部４１の内部とを接続する第２の配管群３２ａ、３２ｂ、…、３２ｎとを備えている。
【００９０】
又、供給制御部は、ポンプユニット４２ａ、４２ｂ、…、４２ｎが複数の霧化送風ユニット１０ａ、１０ｂ、…、１０ｎの各々の第１液体貯蔵部１１ａ、１１ｂ、…、１１ｎに水を供給する量が、複数の霧化送風ユニット１０ａ、１０ｂ、…、１０ｎの各々の霧化部１２ａ、１２ｂ、…、１２ｎが霧状体として水を放出する量よりも多くなるように制御する。
【００９１】
このように構成すると、第１液体貯蔵部の液体を第２の配管を介して第２液体貯蔵部に移動させることができるので、第１液体貯蔵部の余剰となった液体を第２の配管を介して第２液体貯蔵部に効率よく循環させることができる。
【００９２】
図１１は、この発明の第７の実施の形態による霧化送風装置の外観形状を示した斜視図であり図１０に対応するものである。
【００９３】
尚、説明に当たっては、基本的には第６の実施の形態によるものと同一であるため、その相違点を中心に説明する。
【００９４】
同図を参照して、この実施の形態による霧化送風装置１にあっては、第６の実施の形態によるものにおいて、水の循環構造を変換したものである。
【００９５】
即ち、霧化送風装置１は、複数の霧化送風ユニット１０ａ、１０ｂ、…、１０ｎと、タンクユニット４０と、複数の霧化送風ユニット１０ａ、１０ｂ、…、１０ｎの間を直列的に接続する接続配管３７ａ、３７ｂ、…、３７ｎ−１とを備える。
タンクユニット４０は、霧化送風ユニット１０ａの第１液体貯蔵部１１ａの内部と、第２液体貯蔵部４１の内部とを接続する第１の配管３５と、霧化送風ユニット１０ｎの第１液体貯蔵部１１ｎの内部と、第２液体貯蔵部４１の内部とを接続する第２の配管３６と、第２液体貯蔵部４１に貯蔵されている水を、第１の配管３５を介して霧化送風ユニット１０ａの第１液体貯蔵部１１ａへ供給するポンプユニット４２とを備える。
【００９６】
接続配管３７ａ、３７ｂ、…、３７ｎ−１は、複数の霧化送風ユニット１０ａ、１０ｂ、…、１０ｎの各々の第１液体貯蔵部１１ａ、１１ｂ、…、１１ｎの間を、直列的に接続する。
【００９７】
又、供給制御部は、ポンプユニット４２が霧化送風ユニット１０ａの第１液体貯蔵部１１ａに水を供給する量が、少なくとも霧化送風ユニット１０ａの霧化部１２ａが霧状体として水を放出する量よりも多くなるように制御する。尚、供給制御部は、ポンプユニット４２が霧化送風ユニット１０ａの第１液体貯蔵部１１ａに水を供給する量が、霧化送風ユニット１０ａ、１０ｂ、…、１０ｎの各々の霧化部１２ａ、１２ｂ、…、１２ｎが水を放出する総量よりも多くなるように制御することがより好ましい。
【００９８】
このように構成すると、第２液体貯蔵部４１から霧化送風ユニット１０ａに供給された水が、接続配管３７ａ、３７ｂ、…、３７ｎ−１を介して、霧化送風ユニット１０ａから順に霧化送風ユニット１０ｎまで循環し、更に、霧化送風ユニット１０ｎから第２液体貯蔵部４１へと戻される。
【００９９】
よって、簡素な構成により、霧化送風ユニット１０ａから順に霧化送風ユニット１０ｎまで効率的に水を移動させることができる。
【０１００】
図１２は、この発明の第８の実施の形態による霧化送風装置の霧状体の放出軌道と、風の送風方向との関係を示す図であって、図５に対応するものである。
【０１０１】
尚、説明に当たっては、基本的には第１の実施の形態によるものと同一であるため、その相違点を中心に説明する。
【０１０２】
同図を参照して、この実施の形態による霧化送風装置１にあっては、霧化部１２における霧状体の送出方向が異なる。
【０１０３】
具体的には、霧化部１２の霧状体の放出方向と、シロッコファン２３の風の送出方向とは平行となるように設定されている。即ち、霧化部１２が霧状体を水平方向Ａ４１に放出する一方で、シロッコファン２３は、同じく水平方向Ｂ４１に風を送出する。
【０１０４】
すると、霧化部１２によって放出された霧状体は、重力によって降下する放出軌道Ｒを描き霧化送風装置１の前方に進行する。
【０１０５】
これに対しシロッコファン２３は、水平方向Ｂ４１に直線状に風を送出しているので、位置Ｐ１において放出軌道Ｒと交差する。即ち、位置Ｐ１において霧状体と風とが合流する。
【０１０６】
よって、霧状体と風が交差する位置Ｐ１において気化が促進される。水平方向Ｂ４１において位置Ｐ１よりも先の位置では、霧状体は、気化しながら風の進行方向と同じ方向Ａ４２に進行する。
【０１０７】
従って、水平方向Ｂ４１において位置Ｐ１よりも先の位置では、霧状体の気化により冷却された風が進行する。
【０１０８】
このような構成によれば、放出される霧状体は、重力によって降下する軌道を描くため、霧化部の下方の送風部から直線状に送出される風と、霧状体が合流しやすくなり、気化による冷却効果が得られる。
【０１０９】
上記構成では、冷却効果の観点からは、シロッコファン２３の送風口２２と、霧化部１２の霧状体の放出元との間の距離は、約３ｃｍ以下に設定することが好ましい。
【０１１０】
尚、上記の各実施の形態では、特定の形状や寸法関係の霧化送風装置について説明したが、これに限られない。例えば、メッシュ部材の穴径は、１０μｍ以下に設定されていたが、１０μｍよりも大きい穴径のものを採用しても構わない。又、送風部により送出された風が、放出軌道において霧状体と交差する位置と、放出軌道における霧状体の放出元の位置との間の直線距離は、任意に設定可能である。
【０１１１】
又、上記の各実施の形態では特に説明しなかったが、霧化送風装置の不使用時において霧化部の放出口を覆うカバーを設けてもよい。
【０１１２】
更に、上記の第１の実施の形態から第４の実施の形態では、第１液体貯蔵部と第２液体貯蔵部とが配管によって接続されていたが、これに限られず、直接接続されていても構わない。
【０１１３】
更に、上記の第４の実施の形態では、一方の配管と第１液体貯蔵部との間にフィルターが設けられていたが、このフィルターを省略しても構わない。
【０１１４】
更に、上記の各実施の形態では、供給制御部は、第１液体貯蔵部に液体を供給する量が、霧化部が霧状体として液体を放出する量よりも多くなるように制御する構成であったが、これに限られない。又、霧化制御部において上述のような放出量と供給量との間の制御を行っても構わない。
【０１１５】
更に、上記の各実施の形態では、第１液体貯蔵部及び第２液体貯蔵部に、水を貯蔵することを説明したが、これに限られず、気化性を有し、人体に対する安全性が確保できるような液体であれば、任意の液体を貯蔵してもよい。
【０１１６】
更に、上記の各実施の形態では、第１液体貯蔵部又は第２液体貯蔵部が、密閉可能に構成されていたが、これに限られず、いずれかの部分において開放されていても構わないし、第２液体貯蔵部が着脱可能に構成されていても構わない。
【０１１７】
更に、上記の各実施の形態では、特に説明しなかったが、第２液体貯蔵部の内部に液体を入れるための給液口が設けられていてもよい。
【０１１８】
更に、上記の各実施の形態では、送風部は、シロッコファンを含む構成であったが、これに限られない。直線状に風を送出することができるようなものであればどのような羽根車のものを用いてもよい。
【０１１９】
更に、上記の各実施の形態では、特に説明しなかったが、タンクユニットは、予備電源を備える構成であってもよく、タンクユニットの装着時において霧化部、送風部及びポンプユニットに電力を供給可能なように構成されていてもよい。
【０１２０】
更に、上記の第５の実施の形態、第６の実施の形態及び第７の実施の形態では、特に説明しなかったが、制御部は、複数の霧化送風ユニットの各々に設けられていてもよいし、複数の霧化送風ユニット及びタンクユニットを統括的に制御する制御基板が別途設けられていてもよい。
【０１２１】
更に、上記の各実施の形態では、霧化送風ユニットにおいて、霧化部において１つのメッシュ式超音波振動子が設けられているのに対し、送風部において１つのシロッコファンが設けられている構成であったが、これに限られない。例えば、１つのシロッコファンに対し、複数のメッシュ式超音波振動子から霧状体が放出できるようになっていてもよい。又、この場合、複数のメッシュ式超音波振動子から選択的に霧状体を放出可能に構成してもよい。
【符号の説明】
【０１２２】
１…霧化送風装置
１０…霧化送風ユニット
１１…第１液体貯蔵部
１２…霧化部
２０…送風部
２４…制御基板
３１、３２…配管
３３…接続ユニット
３５…第１の配管
３６…第２の配管
３７…接続配管
４０…タンクユニット
４１…第２液体貯蔵部
４２…ポンプユニット
５０…制御部
５３…供給制御部
尚、各図中同一符号は同一又は相当部分を示す。
【図１】
2019072679.tif 000003
【図２】
2019072679.tif 000004
【図３】
2019072679.tif 000005
【図４】
2019072679.tif 000006
【図５】
2019072679.tif 000007
【図６】
2019072679.tif 000008
【図７】
2019072679.tif 000009
【図８】
2019072679.tif 000010
【図９】
2019072679.tif 000011
【図１０】
2019072679.tif 000012
【図１１】
2019072679.tif 000013
【図１２】
2019072679.tif 000014